(57)【要約】【課題】識別子発行装置との通信が不能となった場合であっても、識別子発行装置の交換を行うことなく新規設置される無線通信装置に対して識別子を発行することができる無線通信システム及び識別子発行装置の提供。【解決手段】無線通信網を介して通信する複数の無線通信装置と、複数の無線通信装置の少なくとも１つに接続され、無線通信網内で各無線通信装置を識別する識別子を発行する識別子発行装置とを備え、識別子発行装置は、他の無線通信装置からの発行要求に応じて発行応答を送信する都度、他の無線通信装置について発行した識別子に係る情報を、無線通信網内の特定の無線通信装置へ送信する手段を備え、特定の無線通信装置は、識別子発行装置から送信された識別子に係る情報を受信する手段と、受信した識別子に係る情報を記憶する記憶手段とを備える。【選択図】図６
2015220736.tif 000002
【特許請求の範囲】
【請求項１】
無線通信網を介して通信する複数の無線通信装置と、該複数の無線通信装置の少なくとも１つに接続され、前記無線通信網内で各無線通信装置を識別する識別子を発行する識別子発行装置とを備え、該識別子発行装置は、自装置に接続された無線通信装置を通じて、他の無線通信装置からの識別子の発行要求を受信した場合、前記他の無線通信装置に付与すべき識別子を含む発行応答を送信する無線通信システムにおいて、
前記識別子発行装置は、
他の無線通信装置からの発行要求に応じて発行応答を送信する都度、前記他の無線通信装置について発行した識別子に係る情報を、前記無線通信網内の特定の無線通信装置へ送信する手段
を備え、
前記特定の無線通信装置は、
前記識別子発行装置から送信された識別子に係る情報を受信する手段と、
受信した識別子に係る情報を記憶する記憶手段と
を備えることを特徴とする無線通信システム。
【請求項２】
前記識別子発行装置に接続された無線通信装置は、
前記識別子発行装置との通信の成否を判断する手段と、
該手段が否と判断した場合であって、前記他の無線通信装置から送信された発行要求を受信したとき、該発行要求を前記特定の無線通信装置へ転送する手段と
を備え、
前記特定の無線通信装置は、
前記識別子発行装置に接続された無線通信装置から転送された発行要求を受信する手段と、
該手段にて前記発行要求を受信した場合、前記記憶手段に記憶された情報を参照して、前記他の無線通信装置に付与すべき識別子を決定する手段と、
決定した識別子を含む発行応答を前記他の無線通信装置へ送信する手段と
を備えることを特徴とする請求項１に記載の無線通信システム。
【請求項３】
前記特定の無線通信装置は、
前記識別子発行装置との通信が復旧した場合に、前記記憶手段に記憶した識別子に係る情報を前記識別子発行装置へ送信するようにしてあることを特徴とする請求項１又は請求項２に記載の無線通信システム。
【請求項４】
前記特定の無線通信装置は、
前記無線通信網とは異なる通信網に接続された外部通信装置と通信する手段と、
前記識別子発行装置から受信した識別子に係る情報を前記外部通信装置へ送信する手段と
を更に備えることを特徴とする請求項１に記載の無線通信システム。
【請求項５】
無線通信網を介して通信する複数の無線通信装置のうちの少なくとも１つに接続され、自装置に接続された無線通信装置を通じて、他の無線通信装置からの識別子の発行要求を受信した場合、前記他の無線通信装置に付与すべき識別子を含む発行応答を送信する識別子発行装置において、
他の無線通信装置からの発行要求に応じて発行応答を送信する都度、前記他の無線通信装置について発行した識別子に係る情報を、前記無線通信網内の特定の無線通信装置へ送信する手段
を備えることを特徴とする識別子発行装置。
【発明の詳細な説明】
【技術分野】
【０００１】
本発明は、メータにて計測された水道、ガスなどの使用量を無線網を利用してセンタ側の通信装置へ送信する無線通信システム及び識別子発行装置に関する。
【背景技術】
【０００２】
従来、ガス、水道等のメータ検針用に開発された無線テレメータシステムでは、ホストコンピュータおよびセンタ網制御装置を備えたセンタ側装置にＰＨＳ網、ＦＯＭＡ網などの広域無線網を介して無線親機が接続される。また、無線親機には、複数の無線子機が接続されており、無線子機の夫々には検針用のメータが接続されている。メータから得られる検針値などのデータは、無線子機から無線親機へ送信され、さらに無線親機からセンタ側装置へ送信される。
【０００３】
無線テレメータシステムにおける無線親機及び無線子機は、例えば特定小電力無線方式による狭域無線網を形成する。無線親機及び無線子機は、狭域無線網内において、自身が外部から送信されたデータを受信可能な状況にあるとき、送信すべきデータを有する機器を探索するためにビーコンを定期的に送信する。そして、送信すべきデータを有する無線親機及び無線子機がビーコンを受信した場合、そのビーコンの送信元に対してデータを送信する構成としている。
【０００４】
無線テレメータシステムでは、狭域無線網内の固有の識別子である無線機番号を各機器に割り当てるために、番号発行無線機が設置される。狭域無線網に接続する無線子機を新規設置する場合、当該無線子機は、番号発行無線機に接続された既存の無線子機を介して番号発行要求を番号発行無線機へ送信する。番号発行無線機は、要求元の無線子機に割り当てる無線機番号を含んだ発行応答を生成し、既存の無線子機を介して要求元の無線子機へ送信する。
【先行技術文献】
【特許文献】
【０００５】
【特許文献１】特開２００７−２４３２９０号公報
【特許文献２】特開２０１２−２４４５４１号公報
【発明の概要】
【発明が解決しようとする課題】
【０００６】
従来の無線テレメータシステムでは、番号発行無線機に接続された既存の無線子機を介して番号発行要求及び番号発行応答を送受信する構成であるため、何らかの原因により、番号発行無線機に接続された既存の無線子機と番号発行無線機との間の通信が不能となった場合、新規設置する無線子機に対して無線機番号を発行することができない。
【０００７】
このため、例えば特許文献２では、番号発行無線機は、周辺無線機と通信してネットワーク状態が正常であるか否かを監視し、ネットワークに繋がる経路が１つとなったとき、その１つの経路を介して各無線子機が持つ経路数の情報を取得し、最も多くの経路数を持つ無線子機に対して番号発行に必要な情報を送信することにより、当該無線子機を番号発行無線機の代替機として指定する構成としていた。
【０００８】
しかしながら、特許文献２では、実際に番号発行を実行しようとしたときに、通信可能な経路が一つも存在しない状態となっていた場合、または、番号発行無線機自体が故障していた場合等において、番号発行無線機を代替させるタイミングがなく、新規設置される無線子機に対して無線機番号を付与することができないという問題点を有していた。
【０００９】
本発明は、斯かる事情に鑑みてなされたものであり、番号発行無線機との通信が不能となった場合であっても、番号発行無線機の交換を行うことなく新規設置される無線子機に対して無線機番号を発行することができる無線通信システム及び識別子発行装置を提供することを目的とする。
【課題を解決するための手段】
【００１０】
本願の無線通信システムは、無線通信網を介して通信する複数の無線通信装置と、該複数の無線通信装置の少なくとも１つに接続され、前記無線通信網内で各無線通信装置を識別する識別子を発行する識別子発行装置とを備え、該識別子発行装置は、自装置に接続された無線通信装置を通じて、他の無線通信装置からの識別子の発行要求を受信した場合、前記他の無線通信装置に付与すべき識別子を含む発行応答を送信する無線通信システムにおいて、前記識別子発行装置は、他の無線通信装置からの発行要求に応じて発行応答を送信する都度、前記他の無線通信装置について発行した識別子に係る情報を、前記無線通信網内の特定の無線通信装置へ送信する手段を備え、前記特定の無線通信装置は、前記識別子発行装置から送信された識別子に係る情報を受信する手段と、受信した識別子に係る情報を記憶する記憶手段とを備えることを特徴とする。
【００１１】
本願の無線通信システムは、前記識別子発行装置に接続された無線通信装置は、前記識別子発行装置との通信の成否を判断する手段と、該手段が否と判断した場合であって、前記他の無線通信装置から送信された発行要求を受信したとき、該発行要求を前記特定の無線通信装置へ転送する手段とを備え、前記特定の無線通信装置は、前記識別子発行装置に接続された無線通信装置から転送された発行要求を受信する手段と、該手段にて前記発行要求を受信した場合、前記記憶手段に記憶された情報を参照して、前記他の無線通信装置に付与すべき識別子を決定する手段と、決定した識別子を含む発行応答を前記他の無線通信装置へ送信する手段とを備えることを特徴とする。
【００１２】
本願の無線通信システムは、前記特定の無線通信装置は、前記識別子発行装置との通信が復旧した場合に、前記記憶手段に記憶した識別子に係る情報を前記識別子発行装置へ送信するようにしてあることを特徴とする。
【００１３】
本願の無線通信システムは、前記特定の無線通信装置は、前記無線通信網とは異なる通信網に接続された外部通信装置と通信する手段と、前記識別子発行装置から受信した識別子に係る情報を前記外部通信装置へ送信する手段とを更に備えることを特徴とする。
【００１４】
本願の識別子発行装置は、無線通信網を介して通信する複数の無線通信装置のうちの少なくとも１つに接続され、自装置に接続された無線通信装置を通じて、他の無線通信装置からの識別子の発行要求を受信した場合、前記他の無線通信装置に付与すべき識別子を含む発行応答を送信する識別子発行装置において、他の無線通信装置からの発行要求に応じて発行応答を送信する都度、前記他の無線通信装置について発行した識別子に係る情報を、前記無線通信網内の特定の無線通信装置へ送信する手段を備えることを特徴とする。
【発明の効果】
【００１５】
本願によれば、何らかの原因により、番号発行無線機との通信が不能となった場合であっても、番号発行無線機の交換を行うことなく新規設置される無線子機に対して無線機番号を発行することができる。
【図面の簡単な説明】
【００１６】
【図１】無線テレメータシステムの全体構成を示すブロック図である。
【図２】無線親機の内部構成を示すブロック図である。
【図３】無線子機の内部構成を示すブロック図である。
【図４】番号発行無線機の内部構成を示すブロック図である。
【図５】無線機管理テーブルの一例を示す概念図である。
【図６】実施の形態１における番号発行処理の手順を説明するフローチャートである。
【図７】実施の形態２における番号発行処理の手順を説明するフローチャートである。
【図８】無線機管理テーブルの同期手順を説明するフローチャートである。
【図９】実施の形態４における番号発行処理の手順を示すフローチャートである。
【発明を実施するための形態】
【００１７】
以下、本発明をその実施の形態を示す図面に基づいて具体的に説明する。
（実施の形態１）
図１は無線テレメータシステムの全体構成を示すブロック図である。本実施の形態に係る無線テレメータシステムは、センタ側の構成として、ホストコンピュータ１１及びセンタ側網制御装置１２を備え、端末側の構成として、無線親機２１、無線子機２２，２２，…，２２及びメータ２３，２３，…，２３、並びに番号発行無線機３０を備える。メータ２３は、例えば個人宅、会社、各種施設毎に設置され、ガス、水道、電気などの使用量を計測し、計測結果（検針値）を出力する計測器である。本実施の形態に係る無線テレメータシステムは、メータ２３の検針値を示すデータ、無線親機２１及び無線子機２２の動作状態を示すデータなど端末側から出力される各種データを、無線通信を利用してセンタ側へ送信すると共に、無線親機２１及び無線子機２２の動作を制御するためのコマンド等を含んだ各種データをセンタ側から端末側へ送信することを特徴の１つとしている。
【００１８】
センタ側網制御装置１２と端末側の無線親機２１とは、例えばＰＨＳ網、ＦＯＭＡ網などの広域無線網Ｎ１に接続され、広域無線網Ｎ１を介して無線通信を行う。なお、図１に示す例では、広域無線網Ｎ１に接続されている無線親機２１の数を１つとしたが、複数の無線親機２１が接続されていてもよいことは勿論のことである。
【００１９】
センタ側網制御装置１２は、例えば通信事業者の基地局に設けられ、広域無線網Ｎ１を介した端末側との通信を制御する機能を有する。センタ側網制御装置１２は、ホストコンピュータ１１から端末側へ送信すべきデータが入力された場合、広域無線網Ｎ１の通信規格に準拠した通信方式にて、端末側へデータを送信する。また、端末側から送信されたデータを広域無線網Ｎ１を介して受信した場合、受信したデータをホストコンピュータ１１へ送信するように構成されている。
【００２０】
無線親機２１は、広域無線網Ｎ１を介してセンタ側に接続されると共に、複数の無線子機２２，２２，…，２２との間でメッシュ型の狭域無線網Ｎ２を形成する。無線親機２１は、広域無線網Ｎ１を介してセンタ側のホストコンピュータ１１と無線通信を行うと共に、狭域無線網Ｎ２を介して無線子機２２，２２，…，２２と無線通信を行うように構成されている。
【００２１】
無線子機２２は、自機に接続されたメータ２３から検針値を取得した場合、検針値を示すデータを狭域無線網Ｎ２を介して無線親機２１へ送信する。また、無線親機２１は、無線子機２２から送信されるデータを受信した場合、及び自機においてホストコンピュータ１１へ通知すべきイベントが発生した場合等において、広域無線網Ｎ１を介してホストコンピュータ１１と無線通信を行う。
【００２２】
番号発行無線機３０は、狭域無線網Ｎ２に接続されており、無線親機２１及び無線子機２２の夫々に対して、狭域無線網Ｎ２内の固有の識別子である無線機番号を発行する。無線親機２１及び各無線子機２２は、番号発行無線機３０から発行された一意の無線機番号を記憶しており、各機器を識別して通信するように構成されている。
【００２３】
なお、番号発行無線機３０は、狭域無線網Ｎ２内の無線親機２１及び無線子機２２に対して無線機番号を発行する専用の端末であってもよく、無線子機２２の１つとして機能するものであってもよい。また、図１の例では、番号発行無線機３０は１つの無線子機２２に接続された状態を示しているが、無線親機２１に接続される構成であってもよく、複数の無線子機２２，２２，…に接続される構成であってもよい。
【００２４】
図２は無線親機２１の内部構成を示すブロック図である。無線親機２１は、制御部２１０、記憶部２１１、広域無線通信部２１２、狭域無線通信部２１３、表示部２１４、操作部２１５などを備える。無線親機２１が備えるハードウェア各部は、電池２１９から供給される電力により動作するように構成されている。
【００２５】
制御部２１０は、例えば、ＣＰＵ、ＲＯＭ、ＲＡＭなどを備え、ＲＯＭに予め格納された制御プログラムをＲＡＭに読み出し、ＣＰＵが前記制御プログラムを実行することにより、機器全体を本発明に係る無線通信装置として機能させる。
【００２６】
記憶部２１１は、例えば、ＥＥＰＲＯＭ（Electronically Erasable Programmable Read Only Memory）などの不揮発性メモリにより構成されており、自機の動作に関する設定情報、番号発行無線機３０から発行された自機の無線機番号等を記憶する。
【００２７】
広域無線通信部２１２は、アンテナ２１２ａを通じて電波を発信または受信することによって、広域無線網Ｎ１を介した無線通信を行う。無線親機２１は、例えば、無線子機２２を通じてメータ２３の検針値を取得した場合、検針値を示すデータをセンタ側のホストコンピュータ１１へ送信する。広域無線通信部２１２は、制御部２１０を通じて送信すべきデータを取得した場合、アンテナ２１２ａを駆動して電波を発信させることより、広域無線網Ｎ１の通信規格に準拠した形式にてデータを送信する処理を行う。
【００２８】
また、広域無線通信部２１２は、アンテナ２１２ａにて電波を受信した場合、その電波の電波強度を検出すると共に、受信電波をデコードすることにより所定の形式のデータを取得する。アンテナ２１２ａにて受信する受信電波には、例えば、ホストコンピュータ１１からの起動指令などの各種制御コマンドが含まれる。広域無線通信部２１２は、受信電波をデコードして得られるデータを制御部２１０へ出力する。制御部２１０は、広域無線通信部２１２から出力されたデータを取得した場合、そのデータに基づいて各種の制御を行う。
【００２９】
狭域無線通信部２１３は、アンテナ２１３ａを通じて電波を発信または受信することによって、複数の無線子機２２，２２，…，２２と所定の無線通信方式にて通信を行う。無線通信方式としては、例えば特定小電力無線方式が採用される。無線親機２１の狭域無線通信部２１３は、送信すべきデータを有する無線子機２２を探索するための探索信号として、ビーコンを間欠的に送信する。また、狭域無線通信部２１３は、無線子機２２から送信されるビーコンを受信した場合であって、自装置が送信すべきデータを有するとき、当該データをビーコンの送信元へ送信する。
【００３０】
表示部２１４は、ＬＥＤランプ、液晶表示パネル等により構成されており、制御部２１０から出力される制御信号に基づいて、保守作業を行う作業員等に通知すべき情報を表示する。
【００３１】
操作部２１５は、ディップスイッチ等の各種スイッチ、ボタンにより構成されており、例えば保守作業を行う作業員等による各種の設定操作を受付ける。制御部２１０は、操作部２１５から入力される設定内容を基に各種制御を行い、必要に応じて設定内容を記憶部２１１に記憶させる。
【００３２】
本実施の形態では、無線親機２１がＮＣＵの機能を有するものとして説明を行ったが、ＮＣＵの機能を有する網制御装置を個別の装置として用意し、無線親機２１を網制御装置に接続する構成であってもよい。この場合、無線親機２１は、網制御装置を接続する接続インタフェースを備え、接続インタフェースに接続された網制御装置を介してセンタ側と通信を行う構成とすればよい。
【００３３】
図３は無線子機２２の内部構成を示すブロック図である。無線子機２２は、制御部２２０、記憶部２２１、狭域無線通信部２２２、メータＩＦ２２３、表示部２２４、操作部２２５などを備える。無線子機２２が備えるハードウェア各部は、電池２２９から供給される電力により動作するように構成されている。
【００３４】
制御部２２０は、例えば、ＣＰＵ、ＲＯＭ、ＲＡＭなどを備え、ＲＯＭに予め格納された制御プログラムをＲＡＭに読み出し、ＣＰＵが前記制御プログラムを実行することにより、機器全体を本発明に係る無線通信装置として機能させる。
【００３５】
記憶部２２１は、例えば、ＥＥＰＲＯＭなどの不揮発性メモリにより構成されており、自機の動作に関する設定情報、番号発行無線機３０から発行された自機の無線機番号等を記憶する。
【００３６】
狭域無線通信部２２２は、アンテナ２２２ａを通じて電波を発信または受信することによって、無線親機２１及び他の無線子機２２と所定の無線通信方式にて通信を行う。無線通信方式としては、例えば特定小電力無線方式が採用される。無線子機２２の狭域無線通信部２２２は、送信すべきデータを有する無線親機２１又は他の無線子機２２を探索するための探索信号として、ビーコンを間欠的に送信する。また、狭域無線通信部２２２は、無線親機２１又は他の無線子機２２から送信されるビーコンを受信した場合であって、自装置が送信すべきデータを有するとき、当該データをビーコンの送信元へ送信する。
【００３７】
メータＩＦ２２３は、ガス、水道などの使用量を計測するためのメータ２３に接続される。メータＩＦ２２３は、接続されたメータ２３から検針値を取得した場合、検針値を示すデータを制御部２２０へ送出する。
【００３８】
表示部２２４は、ＬＥＤランプ、液晶表示パネル等により構成されており、制御部２２０から出力される制御信号に基づいて、保守作業を行う作業員等に通知すべき情報を表示する。
【００３９】
操作部２２５は、ディップスイッチ等の各種スイッチ、ボタンにより構成されており、例えば保守作業を行う作業員等による各種の設定操作を受付ける。制御部２２０は、操作部２２５から入力される設定内容を基に各種制御を行い、必要に応じて設定内容を記憶部２２１に記憶させる。
【００４０】
図４は番号発行無線機３０の内部構成を示すブロック図である。番号発行無線機３０は、制御部３００、記憶部３０１、狭域無線通信部３０２、メータＩＦ３０３、表示部３０４、操作部３０５などを備える。番号発行無線機３０が備えるハードウェア各部は、電池３０９から供給される電力により動作するように構成されている。
【００４１】
制御部３００は、例えば、ＣＰＵ、ＲＯＭ、ＲＡＭなどを備える。ＣＰＵは、ＲＯＭに予め格納された制御プログラムをＲＡＭに読み出して実行することにより、機器全体を本発明に係る識別子発行装置として機能させる。
【００４２】
記憶部３０１は、例えば、ＥＥＰＲＯＭなどの不揮発性メモリにより構成されており、発行した無線機番号と発行先を示す情報とを関連付けて記憶する無線機管理テーブル等を有する。図５は無線機管理テーブルの一例を示す概念図である。無線機番号は、狭域無線網Ｎ２内に新たに設置される各機器に対して付与する狭域無線網Ｎ２内の固有の番号であり、例えば１〜Ｎ（Ｎは狭域無線網Ｎ２に接続する機器の最大数）の値により表される。また、発行先を示す情報は、無線親機２１又は無線子機２２の製造番号、シリアル番号等の各機器固有の情報（以下、無線機ＩＤという）であり、例えば英数字からなる文字列により表される。
【００４３】
狭域無線通信部３０２は、アンテナ３０２ａを通じて電波を発信または受信することによって、無線子機２２と所定の無線通信方式にて通信を行う。無線通信方式としては、例えば特定小電力無線方式が採用される。
【００４４】
メータＩＦ３０３は、メータ２３を接続するためのインタフェースである。番号発行無線機３０を無線子機２２の１つとして機能させる場合、メータ２３がメータＩＦ３０３に接続される。メータ２３が接続されている場合、メータＩＦ３０３は、当該メータ２３から出力される検針値を取得し、取得した検針値を示すデータを制御部３００へ送出する。
【００４５】
表示部３０４は、ＬＥＤランプ、液晶表示パネル等により構成されており、制御部３００から出力される制御信号に基づいて、保守作業を行う作業員等に通知すべき情報を表示する。操作部３０５は、ディップスイッチ等の各種スイッチ、ボタンにより構成されており、例えば保守作業を行う作業員等による各種の設定操作を受付ける。
【００４６】
以下、狭域無線網Ｎ２内に無線子機２２を新規設置する場合の動作について説明する。新規設置される無線子機２２を以下の説明では番号取得無線機と称する。番号取得無線機の内部構成は無線子機２２と全く同様であるが、番号発行無線機３０から発行される無線機番号を取得していないので、番号取得無線機の記憶部２２１には自機の無線機番号が記憶されていないものとする。
【００４７】
図６は実施の形態１における番号発行処理の手順を示すフローチャートである。番号取得無線機の制御部２２０は、番号発行モードに移行させるために所定の操作を受付けたか否かを判断する（ステップＳ１０１）。所定の操作を受付けていない場合（Ｓ１０１：ＮＯ）、制御部２２０は、所定の操作を受付けるまで待機する。
【００４８】
所定の操作を受付けたと判断した場合（Ｓ１０１：ＹＥＳ）、番号取得無線機は、例えば狭域無線網Ｎ２内の既存の無線子機２２とペアリングを行い、ペアリングした既存の無線子機２２に対して間接番号発行依頼を行うことにより、自機宛の無線機番号（識別子）の発行を要求する番号発行要求を番号発行無線機３０へ送信する（ステップＳ１０２）。なお、ペアリング対象の無線子機２２は、作業員等の手動操作によって指定されるものであってもよく、番号取得無線機にて他の無線子機２２，２２，…から送信される電波の電波強度を計測し、その計測結果に基づき番号取得無線機が指定するものであってもよい。
【００４９】
番号発行要求は、番号取得無線機とペアリングした無線子機２２を含む１又は複数の無線子機２２，２２，…を経由して番号発行無線機３０へ送信される。
【００５０】
番号発行無線機３０の制御部３００は、自機に接続された既存の無線子機２２を介して送信される番号発行要求を狭域無線通信部３０２にて受信したか否かを判断する（ステップＳ１０３）。番号発行要求を受信していないと判断した場合（Ｓ１０３：ＮＯ）、制御部３００は、番号発行要求を受信するまで待機する。
【００５１】
制御部３００は、狭域無線通信部３０２にて番号発行要求を受信したと判断した場合（Ｓ１０３：ＹＥＳ）、記憶部３０１内の無線機管理テーブルを参照し、要求元の番号取得無線機に付与すべき無線機番号を決定する（ステップＳ１０４）。例えば、制御部３００は、発行予定の無線機番号の中から発行済みの無線機番号を除いた無線機番号のうち、最も小さい無線機番号を要求元の番号取得無線機に付与すべき無線機番号として決定することができる。
【００５２】
次いで、制御部３００は、ステップＳ１０４で決定した無線機番号を含む発行応答を生成し（ステップＳ１０５）、生成した発行応答を狭域無線通信部３０２を通じて番号取得無線機へ送信する（ステップＳ１０６）。発行応答は、番号取得無線機とペアリングした無線子機２２を含む１又は複数の無線子機２２，２２，…を経由して番号取得無線機へ送信される。
【００５３】
番号取得無線機の制御部２２０は、番号発行要求を送信した後、番号発行無線機３０から送信される発行応答を受信したか否かを判断する（ステップＳ１０７）。発行応答を受信していない場合（Ｓ１０７：ＮＯ）、制御部２２０は、発行応答を受信するまで待機する。発行応答を受信した場合（Ｓ１０７：ＹＥＳ）、制御部２２０は、発行応答に含まれる無線機番号を取得し、自機の記憶部２２１に記憶させる（ステップＳ１０８）。無線機番号が付与された番号取得無線機は、他の無線子機２２と同様に無線機番号を用いて無線親機２１又は他の無線子機２２と無線通信を実行することが可能となる。
【００５４】
ステップＳ１０６で発行応答を送信した後、番号発行無線機３０の制御部３００は、記憶部３０１内の無線機管理テーブルを更新する（ステップＳ１０９）。すなわち、制御部３００は、新たに発行した無線機番号と発行先の無線機ＩＤとを関連付けて無線機管理テーブルに記憶させる処理を実行する。なお、番号発行無線機３０は、適宜のタイミングで発行先の無線機ＩＤを取得することができる。例えば、番号取得無線機が番号発行要求を送信する際に自機の無線機ＩＤを添付する構成とし、番号発行無線機３０が番号発行要求を受信した時点で、番号発行要求から発行先の無線機ＩＤを取得するようにしてもよい。また、番号発行要求を受信してから無線機管理テーブルを更新するまでの適宜のタイミングで、番号取得無線機に対して無線機ＩＤの送信要求を行い、当該送信要求に対する応答として無線機ＩＤを取得する構成としてもよい。
【００５５】
次いで、制御部３００は、新たに発行した無線機番号及び発行先の無線機ＩＤを、狭域無線通信部３０２を通じて無線親機２１へ送信する（ステップＳ１１０）。
【００５６】
無線親機２１は、番号発行無線機３０から送信される無線機番号及び発行先の無線機ＩＤを受信した場合（ステップＳ１１１）、受信した無線機番号及び発行先の無線機ＩＤを記憶部２１１に記憶し（ステップＳ１１２）、無線機番号及び発行先の無線機ＩＤを受信した旨を番号発行無線機３０に通知する（ステップＳ１１３）。
【００５７】
以上のように、本実施の形態では、新たに設置される無線子機２２に対して番号発行無線機３０が新たに無線機番号を発行する都度、発行した無線機番号及び発行先の無線機ＩＤを、無線親機２１へ送信するようにしている。
無線親機２１は、番号発行無線機３０から送信される発行済みの無線機番号及び発行先の無線機ＩＤを記憶部２１１に逐次記憶することにより、番号発行無線機３０と同様の無線機管理テーブルを記憶部２１１内に生成することができる。このため、番号発行無線機３０が故障した場合、番号取得無線機から番号発行無線機３０に至る通信経路がなくなった場合等において、無線親機２１を番号発行無線機３０の代替機として機能させることが可能となる。
【００５８】
なお、本実施の形態では、新たな無線機番号を発行する都度、無線機番号及び無線機ＩＤを送信する構成としたが、番号発行に必要な最低限の情報として、新たに発行した無線機番号のみを無線親機２１へ送信する構成としてもよい。無線親機２１は、発行済みの無線機番号の情報を取得することができるので、自機が番号発行無線機３０の代替機となる場合、発行済みの無線機番号の情報を参照し、新たな無線子機２２に対して、発行済みの無線機番号と重複しないように無線機番号を割り当てることができる。
【００５９】
また、本実施の形態では、無線機番号の発行後、発行した無線機番号及び発行先の無線機ＩＤを無線親機２１へ送信する構成としたが、無線親機２１へ送信する代わりに、予め定めた特定の無線子機２２へ無線機番号及び発行先の無線機ＩＤを送信する構成としてもよい。前記特定の無線子機２２は、受信した発行済みの無線機番号及び発行先の無線機ＩＤを逐次的に記憶部２２１に記憶することにより、記憶部２２１内に無線機管理テーブルを生成することができる。このため、番号発行無線機３０から番号発行が行えない状況下では、前記特定の無線子機２２を番号発行無線機３０の代替機として機能させることができる。
【００６０】
（実施の形態２）
実施の形態２では、番号発行無線機３０から番号発行が行えない場合に、無線親機２１から番号発行を行う構成について具体的に説明する。
なお、実施の形態２に係る無線テレメータシステム及び各機器の構成は、実施の形態１と全く同様であるため、その説明を省略することとする。
【００６１】
実施の形態２では、番号発行無線機３０に直接的に通信可能に接続された無線子機２２（すなわち、自機からみた番号発行無線機３０のホップ数が１の無線子機２２）は、番号取得無線機から送信される番号発行要求を受信した場合、番号発行無線機３０との通信の成否を判断する。番号発行無線機３０との通信が可能である場合、前記無線子機２２は、番号取得無線機から受信した番号発行要求を番号発行無線機３０へ送信する。一方、番号発行無線機３０との通信が不能である場合、番号取得無線機宛の発行応答が得られないため、前記無線子機２２は、番号取得無線機から受信した番号発行要求を無線親機２１へ転送する。
【００６２】
図７は実施の形態２における番号発行処理の手順を説明するフローチャートである。番号発行無線機３０に直接的に通信可能に接続された無線子機２２は、番号取得無線機から送信される番号発行要求を狭域無線通信部２２２にて受信したか否かを判断する（ステップＳ２０１）。受信していないと判断した場合（Ｓ２０１：ＮＯ）、無線子機２２は、番号発行要求を受信するまで待機する。
【００６３】
無線子機２２が番号取得無線機から送信される番号発行要求を受信したと判断した場合（Ｓ２０１：ＹＥＳ）、当該無線子機２２の制御部２２０は、番号発行無線機３０との通信の成否を判断する（ステップＳ２０２）。無線子機２２は、例えば番号発行無線機３０に対して応答を要求する電文を送信し、その要求に対する応答が番号発行無線機３０から得られた場合、通信が成功したと判断することができ、応答が得られなかった場合、通信が失敗したと判断することができる。
【００６４】
番号発行無線機３０との通信が可能である場合（Ｓ２０３：ＹＥＳ）、無線子機２２の制御部２２０は、番号発行要求の転送先を番号発行無線機３０に決定し、番号取得無線機から受信した番号発行要求を番号発行無線機３０へ転送する（ステップＳ２０４）。
一方、番号発行無線機３０との通信が不能である場合（Ｓ２０３：ＮＯ）、無線子機２２の制御部２２０は、番号発行要求の転送先を無線親機２１に決定し、番号取得無線機から受信した番号発行要求を無線親機２１へ転送する（ステップＳ２０５）。
【００６５】
番号発行無線機３０の制御部３００は、狭域無線通信部３０２を通じて番号発行要求を受信したか否かを定期的に判断する（ステップＳ２０６）。受信していない場合（Ｓ２０６：ＮＯ）、制御部３００は、番号発行要求を受信するまで待機する。
【００６６】
番号発行要求を受信したと判断した場合（Ｓ２０６：ＹＥＳ）、制御部３００は、自機の記憶部３０１に記憶されている無線機管理テーブルを参照し、要求元の番号取得無線機に付与すべき無線機番号を決定する（ステップＳ２０７）。制御部３００は、要求元の番号取得無線機に付与すべき無線機番号を含む発行応答を生成し（ステップＳ２０８）、生成した発行応答を狭域無線通信部３０２を通じて番号取得無線機へ送信する（ステップＳ２０９）。番号発行無線機３０から送信された発行応答は１又は複数の無線子機２２を通じて要求元の番号取得無線機へ送信される。
【００６７】
番号発行無線機３０は、実施の形態１と同様に、発行応答を送信した後、自機の無線機管理テーブルを更新すると共に、発行した無線機番号及び発行先の無線機ＩＤを無線親機２１に通知する。
【００６８】
無線親機２１の制御部２１０は、番号発行無線機３０と同様に、狭域無線通信部２１３を通じて番号発行要求を受信したか否かを判断する（ステップＳ２１０）。受信していない場合（Ｓ２１０：ＮＯ）、制御部２１０は、番号発行要求を受信するまで待機する。
【００６９】
番号発行要求を受信したと判断した場合（Ｓ２１０：ＹＥＳ）、制御部２１０は、自機が有する無線機管理テーブルを参照し、要求元の番号取得無線機に付与すべき無線機番号を決定する（ステップＳ２１１）。制御部２１０は、要求元の番号取得無線機に付与すべき無線機番号を含む発行応答を生成し（ステップＳ２１２）、生成した発行応答を狭域無線通信部２１３を通じて番号取得無線機へ送信する（ステップＳ２１３）。無線親機２１から送信された発行応答は１又は複数の無線子機２２を通じて要求元の番号取得無線機へ送信される。
【００７０】
無線親機２１は、発行応答を送信した後、自機の記憶部２１１に記憶してある無線機管理テーブルを更新する。すなわち、無線親機２１の制御部２１０は、新たに発行した無線機番号と発行先の無線機ＩＤとを関連付けて無線機管理テーブルに記憶させる処理を実行する。
【００７１】
番号取得無線機は、１又は複数の無線子機２２を通じて、番号発行無線機３０又は無線親機２１から送信される発行応答を受信した場合、発行応答に含まれる無線機番号を取得し、自機の記憶部２２１に記憶させる。無線機番号が付与された番号取得無線機は、他の無線子機２２と同様に無線機番号を用いて無線親機２１又は他の無線子機２２と無線通信を実行することが可能となる。
【００７２】
以上のように、実施の形態２では、無線子機２２が、番号発行無線機３０と通信することができない状況下で番号取得無線機からの番号発行要求を受信した場合、当該番号発行要求を無線親機２１へ転送する構成としている。このため、番号発行無線機３０が故障した場合、番号取得無線機から番号発行無線機３０に至る通信経路がなくなった場合等において、無線親機２１は番号発行無線機３０の代替機として機能し、番号取得無線機に対して新たな無線機番号を発行することが可能となる。
【００７３】
なお、実施の形態２では、番号取得無線機から送信される番号発行要求を受信したタイミングで、番号発行無線機３０と直接的に通信可能に接続された無線子機２２が番号発行無線機３０との通信の成否を判断する構成としたが、番号発行無線機３０との通信の成否を判断するタイミングは任意であり、番号取得無線機から番号発行要求を受信したか否かに関わらず、定期的なタイミングで通信の成否を判断し、その判断結果を記憶部２２１にて保持しておく構成としてもよい。
【００７４】
また、各無線子機２２から番号発行無線機３０に至る通信経路が１つも存在しない場合、その旨の情報を無線親機２１及び各無線子機２２の間で共有する構成であってもよい。この場合、番号取得無線機と最初にペアリングを行った無線子機にて、番号発行要求の転送先を無線親機２１に設定する構成であってもよい。
【００７５】
（実施の形態３）
実施の形態３では、番号発行無線機３０との通信が復旧した場合、無線親機２１にて記憶している無線機番号及び無線機ＩＤを番号発行無線機３０へ送信し、番号発行無線機３０と無線親機２１との間で番号発行に必要な情報を同期させる構成について説明を行う。
なお、実施の形態３に係る無線テレメータシステム及び各機器の構成は、実施の形態１と全く同様であるため、その説明を省略することとする。
【００７６】
図８は無線機管理テーブルの同期手順を説明するフローチャートである。無線親機２１は、例えば定期的なタイミングで番号発行無線機３０との通信の成否を判断することにより、番号発行無線機３０との通信が復旧したか否かを判断する（ステップＳ３０１）。無線親機２１は、番号発行無線機３０に対して応答を要求する電文を送信し、その要求に対する応答が番号発行無線機３０から得られた場合、番号発行無線機３０との通信が復旧したと判断することができる。また、前記電文の送信に対して応答が得られなかった場合、無線親機２１は、番号発行無線機３０との通信が復旧していないと判断することができる。
【００７７】
ステップＳ３０１で番号発行無線機３０との通信が復旧していないと判断した場合（Ｓ３０１：ＮＯ）、無線親機２１は、番号発行無線機３０との通信が復旧するまで待機する。
【００７８】
ステップＳ３０１で番号発行無線機３０との通信が復旧したと判断した場合（Ｓ３０１：ＹＥＳ）、無線親機２１は、狭域無線通信部２１３を通じて、無線機管理テーブルに記憶されている無線機番号及び無線機ＩＤを番号発行無線機３０へ送信する（ステップＳ３０２）。なお、無線親機２１は、無線機管理テーブルに記憶されている全ての無線機番号及び無線機ＩＤを番号発行無線機３０へ送信する必要はなく、番号発行無線機３０に代えて無線親機２１が発行した無線機番号及び発行先の無線機ＩＤのみを番号発行無線機３０へ送信する構成であってもよい。
【００７９】
番号発行無線機３０は、無線親機２１から送信される無線機番号及び無線機ＩＤを受信した場合（ステップＳ３０３）、受信した無線機番号及び無線機ＩＤに基づき、自機の無線機管理テーブルを更新する（ステップＳ３０４）。
【００８０】
以上のように、実施の形態３では、番号発行無線機３０との通信が復旧した場合、無線親機２１と番号発行無線機３０との間で無線機管理テーブルに記憶してある情報を同期する構成としているので、復旧後には、番号発行無線機３０は、無線親機２１から引き継いで番号発行処理を実施することができる。
【００８１】
なお、実施の形態３では、無線親機２１にて番号発行無線機３０との通信が復旧したか否かを判断し、復旧したと判断した場合に、無線機管理テーブルに登録されている無線機番号及び発行先の無線機ＩＤを番号発行無線機３０へ送信する構成としたが、番号発行無線機３０が復旧した際、番号発行無線機３０から無線親機２１へ要求することにより、無線親機２１の無線機管理テーブルに登録されている無線機番号及び発行先の無線機ＩＤを取得する構成としてもよい。
【００８２】
（実施の形態４）
実施の形態１では、番号発行無線機３０が新たに無線機番号を発行する都度、発行した無線機番号及び発行先の無線機ＩＤを無線親機２１へ送信し、無線親機２１において無線機番号及び発行先の無線機ＩＤを逐次記憶する構成について説明したが、発行した無線機番号及び発行先の無線機ＩＤの送信先は無線親機２１に限定されるものではない。
実施の形態４では、番号発行無線機３０が新たに無線機番号を発行する都度、発行した無線機番号及び発行先の無線機ＩＤをセンタ側のホストコンピュータ１１へ送信する構成について説明を行う。
【００８３】
図９は実施の形態４における番号発行処理の手順を示すフローチャートである。番号発行無線機３０は、実施の形態１と同様の手順により、番号取得無線機からの番号発行要求に応じて番号発行処理を実行し、自機の無線機管理テーブルを更新する。
【００８４】
次いで、番号発行無線機３０の制御部３００は、センタ側のホストコンピュータ１１を宛先として、新たに発行した無線機番号及び発行先の無線機ＩＤを送信する（ステップＳ４１０）。番号発行無線機３０からセンタ側のホストコンピュータ１１へ送信される無線機番号及び発行先の無線機ＩＤは、無線親機２１を経由して、広域無線網Ｎ１を通じてホストコンピュータ１１へ送信される。
【００８５】
ホストコンピュータ１１は、番号発行無線機３０から送信される無線機番号及び無線機ＩＤを受信した場合（ステップＳ４１１）、受信した無線機番号及び発行先の無線機ＩＤを自装置の記憶部（不図示）に記憶し（ステップＳ４１２）、無線機番号及び発行先の無線機ＩＤを受信した旨の通知を、広域無線網Ｎ１を通じて、番号発行無線機３０へ送信する（ステップＳ４１３）。
【００８６】
以上のように、本実施の形態では、新たに設置される無線子機２２に対して番号発行無線機３０が新たに無線機番号を発行する都度、発行した無線機番号及び発行先の無線機ＩＤをセンタ側のホストコンピュータ１１へ送信するようにしている。
ホストコンピュータ１１は、番号発行無線機３０から送信される発行済みの無線機番号及び発行先の無線機ＩＤを逐次記憶することにより、番号発行無線機３０と同様の無線機管理テーブルをホストコンピュータ１１内に生成することができる。このため、番号発行無線機３０が故障した場合、番号取得無線機から番号発行無線機３０に至る通信経路がなくなった場合等において、ホストコンピュータ１１を番号発行無線機３０の代替機として機能させることができる。
【００８７】
なお、本実施の形態では、新たに発行した無線機番号と共に、発行先の無線機ＩＤを送信する構成としたが、番号発行に必要な最低限の情報として、新たに発行した無線機番号のみをホストコンピュータ１１へ送信する構成としてもよい。ホストコンピュータ１１は、発行済みの無線機番号の情報を取得することができるので、自機が番号発行無線機３０の代替機となる場合、発行済みの無線機番号の情報を参照し、新たな無線子機２２に対して、発行済みの無線機番号と重複しないように無線機番号を割り当てることができる。
【００８８】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【００８９】
以上の実施の形態に関し、更に以下の付記を開示する。
【００９０】
本願の無線通信システムは、無線通信網（Ｎ２）を介して通信する複数の無線通信装置（２１，２２）と、該複数の無線通信装置（２１，２２）の少なくとも１つに接続され、前記無線通信網（Ｎ２）内で各無線通信装置（２１，２２）を識別する識別子を発行する識別子発行装置（３０）とを備え、該識別子発行装置（３０）は、自装置に接続された無線通信装置（２２）を通じて、他の無線通信装置（２２）からの識別子の発行要求を受信した場合、前記他の無線通信装置（２２）に付与すべき識別子を含む発行応答を送信する無線通信システムにおいて、前記識別子発行装置（３０）は、他の無線通信装置（２２）からの発行要求に応じて発行応答を送信する都度、前記他の無線通信装置（２２）について発行した識別子に係る情報を、前記無線通信網（Ｎ２）内の特定の無線通信装置（２１）へ送信する手段（３０２）を備え、前記特定の無線通信装置（２１）は、前記識別子発行装置（３０）から送信された識別子に係る情報を受信する手段（２１３）と、受信した識別子に係る情報を記憶する記憶手段（２１１）とを備えることを特徴とする。
【００９１】
本願では、新たに設置される無線通信装置に対して識別子発行装置が識別子を発行する都度、発行した識別子に係る情報を特定の無線通信装置へ送信する。
前記特定の無線通信装置は、識別子発行装置から送信される識別子に係る情報を逐次記憶することにより、発行済みの識別子の情報を管理することができる。このため、識別子発行装置が故障した場合、新たな無線通信装置から識別子発行装置に至る通信経路がなくなった場合等において、前記特定の無線通信装置を識別子発行装置の代替機として機能させることが可能となる。
【００９２】
本願の無線通信システムは、前記識別子発行装置（３０）に接続された無線通信装置（２２）は、前記識別子発行装置（３０）との通信の成否を判断する手段（２２０）と、該手段（２２０）が否と判断した場合であって、前記他の無線通信装置（２２）から送信された発行要求を受信したとき、該発行要求を前記特定の無線通信装置（２１）へ転送する手段（２２２）とを備え、前記特定の無線通信装置（２１）は、前記識別子発行装置（３０）に接続された無線通信装置（２２）から転送された発行要求を受信する手段（２１３）と、該手段（２１３）にて前記発行要求を受信した場合、前記記憶手段（２１１）に記憶された情報を参照して、前記他の無線通信装置（２２）に付与すべき識別子を決定する手段（２１０）と、決定した識別子を含む発行応答を前記他の無線通信装置（２２）へ送信する手段（２１３）とを備えることを特徴とする。
【００９３】
本願では、無線通信装置が、識別子発行装置と通信することができない状況下で発行要求を受信した場合、当該発行要求を前記特定の無線通信装置へ転送する構成としている。このため、識別子発行装置が故障した場合、新たな無線通信装置から識別子発行装置に至る通信経路がなくなった場合等において、前記特定の無線子機を識別子発行装置の代替機として機能させ、新たに設置される無線通信装置に対して無線通信網内で使用する識別子を付与することができる。
【００９４】
本願の無線通信システムは、前記特定の無線通信装置（２１）は、前記識別子発行装置（３０）との通信が復旧した場合に、前記記憶手段（２１１）に記憶した識別子に係る情報を前記識別子発行装置（３０）へ送信するようにしてあることを特徴とする。
【００９５】
本願では、識別子発行装置との通信が復旧した場合、前記特定の無線通信装置と識別子発行装置との間で識別子に係る情報を同期する構成としているので、復旧後には、識別子発行装置は、前記特定の無線通信装置から引き継いで識別子の発行処理を実施することができる。
【００９６】
本願の無線通信システムは、前記特定の無線通信装置（２１）は、前記無線通信網（Ｎ２）とは異なる通信網（Ｎ１）に接続された外部通信装置（１１）と通信する手段と、前記識別子発行装置（３０）から受信した識別子に係る情報を前記外部通信装置（１１）へ送信する手段（２１２）とを更に備えることを特徴とする。
【００９７】
本願では、新たに設置される無線通信装置に対して識別子発行装置が識別子を発行する都度、発行した識別子に係る情報を外部通信装置へ送信するようにしている。
外部通信装置は、識別子発行装置から送信される識別子に係る情報を逐次記憶することにより、発行済みの識別子の情報を管理することができる。このため、識別子発行装置が故障した場合、新たに設置される無線通信装置から識別子発行装置に至る通信経路がなくなった場合等において、外部通信装置を識別子発行装置の代替機として機能させることができる。
【００９８】
本願の識別子発行装置（３０）は、無線通信網（Ｎ２）を介して通信する複数の無線通信装置（２１，２２）のうちの少なくとも１つに接続され、自装置に接続された無線通信装置（２２）を通じて、他の無線通信装置（２２）からの識別子の発行要求を受信した場合、前記他の無線通信装置（２２）に付与すべき識別子を含む発行応答を送信する識別子発行装置（３０）において、他の無線通信装置（２２）からの発行要求に応じて発行応答を送信する都度、前記他の無線通信装置（２２）について発行した識別子に係る情報を、前記無線通信網（Ｎ２）内の特定の無線通信装置（２１）へ送信する手段（３０２）を備えることを特徴とする。
【００９９】
本願では、新たに設置される無線通信装置に対して識別子を発行する都度、発行した識別子に係る情報を特定の無線通信装置へ送信する。
前記特定の無線通信装置は、識別子発行装置から送信される識別子に係る情報を逐次記憶することにより、無線通信網内で発行済みの識別子の情報を管理することができる。このため、識別子発行装置が故障した場合、新たな無線子機から識別子発行装置に至る通信経路がなくなった場合等において、前記特定の無線子機を識別子発行装置の代替機として機能させることが可能となる。
【符号の説明】
【０１００】
１１  ホストコンピュータ
１２  センタ側網制御装置
２１  無線親機
２２  無線子機
２３  メータ
３０  番号発行無線機
２１０，２２０，３００  制御部
２１１，２２１，３０１  記憶部
２１２  広域無線通信部
２１３，２２２，３０２  狭域無線通信部
２１４，２２４，３０４  表示部
２１５，２２５，３０５  操作部
２１９，２２９，３０９  電池
２２３，３０３  メータＩＦ
【図１】
2015220736.tif 000003
【図２】
2015220736.tif 000004
【図３】
2015220736.tif 000005
【図４】
2015220736.tif 000006
【図５】
2015220736.tif 000007
【図６】
2015220736.tif 000008
【図７】
2015220736.tif 000009
【図８】
2015220736.tif 000010
【図９】
2015220736.tif 000011